(57)【要約】【課題】輝度劣化ムラを防止した自発光型画像表示パネルの画像表示方法を提供する。【解決手段】自発光型画像表示パネル１０に表示される画像２０が、自発光型画像表示パネル１０の縦横比（ａ：ｃ）と異なる縦横比（ｂ：ｃ）を有する第１の画像２１と、自発光型画像表示パネル１０の第１の画像２１の非表示領域に表示される第２の画像２２とを有し、且つ第２の画像２２が黒色である場合に、第１のプレーン１１において、少なくとも第１の画像２１の非表示領域に対応する第２の領域２４に黒色以外の色の画像を設定する工程と、第２のプレーン１２において、第１の画像２１の表示領域に対応する第１の領域２５に第１の画像２１を設定し、第１の画像２１の非表示領域に対応する第２の領域２６を透過モードに設定する工程と、を具備する。【選択図】図１
2010026253.tif 000002
【特許請求の範囲】
【請求項１】
第１のプレーンに設定された画像の上に第２のプレーンに設定された画像を重ね合わせて得られる合成画像を、自発光型画像表示パネルに表示する画像表示方法であって、
前記自発光型画像表示パネルに表示される画像が、前記自発光型画像表示パネルの縦横比と異なる縦横比を有する第１の画像と、前記自発光型画像表示パネルの前記第１の画像の非表示領域に表示される第２の画像とを有し、且つ前記第２の画像が黒色である場合に、
前記第１のプレーンにおいて、少なくとも前記第１の画像の非表示領域に対応する第２の領域に黒色以外の色の画像を設定する工程と、
前記第２のプレーンにおいて、前記第１の画像の表示領域に対応する第１の領域に前記第１の画像を設定し、前記第１の画像の非表示領域に対応する第２の領域を透過モードに設定する工程と、
を具備することを特徴とする自発光型画像表示パネルの画像表示方法。
【請求項２】
前記第１の画像の非表示領域は、前記自発光型画像表示パネルの縦横比と前記第１の画像の縦横比とに応じて、予め定められていることを特徴とする請求項１に記載の自発光型画像表示パネルの画像表示方法。
【請求項３】
前記第２の画像が黒色であるかは、前記第１の画像の非表示領域において、各画素の輝度情報を求め、前記輝度情報が第１基準値より小さい画素の存在比率を求め、前記存在比率が第２基準値以上であるかにより判定することを特徴とする請求項１に記載の自発光型画像表示パネルの画像表示方法。
【請求項４】
前記自発光型画像表示パネルに表示される画像に、前記第１の画像の非表示領域に表示されるキャラクタ情報が付加されているときは、
前記第２のプレーンにおいて、前記キャラクタ情報の表示領域に対応する第３の領域に前記キャラクタ情報を設定することを特徴とする請求項１に記載の自発光型画像表示パネルの画像表示方法。
【請求項５】
前記第２のプレーンにおいて、前記第１の画像の非表示領域に対応する第２の領域を透過モードに設定するには、前記第２の領域の各画素の輝度情報および色情報をクリアすることにより行うことを特徴とする請求項１に記載の自発光型画像表示パネルの画像表示方法。
【発明の詳細な説明】
【技術分野】
【０００１】
本発明は、自発光型画像表示パネルの画像表示方法に関する。
【背景技術】
【０００２】
画像表示パネルに表示する画像が、画像表示パネルの縦横比と異なる縦横比を有する画像である場合、画像表示パネル中央部に画像が表示され、その周りに画像が表示されない領域（以後、サイドパネルともいう）が生じる。
【０００３】
例えば、フルＨＤ（１９２０×１０８０画素、縦横比１６：９）のデシタルテレビ放送において、ＳＤ（７２０×４８０画素、縦横比４：３）の画像を送信するときに、ＳＤの画像の両側にサイドパネルを付加し、１６：９の画角に合せた画像にしてから送信する場合がある。  
受信側では、送信されてきた画像がフルＨＤの画像であると認識し、そのまま画像表示パネルに表示することができる。
【０００４】
然しながら、自発光型画像表示パネルでは、サイドパネルが単一の黒色で塗り潰されている場合、黒色は画素を構成する素子を発光させないので、サイドパネル以外の領域の画素を構成する素子の劣化が進行し、輝度ムラが生じる問題がある（例えば、特許文献１参照。）。
【０００５】
特許文献１に開示されたプラズマディスプレイ装置の駆動方法は、映像表示を行う部分以外は、蛍光体層の各色の蛍光体の輝度特性に応じた色と輝度で発光させている。  
これにより、サイドパネル部を必要最低限の輝度で発光表示させて輝度ムラが生じるのを防止している。
【０００６】
特許文献１に開示されたプラズマディスプレイ装置の駆動方法は、サイドパネル部の画素を構成する素子を必要最低限の輝度で発光表示させているが、画像の表示方法に関しては、何も開示していない。
【特許文献１】特開２００５−４９７５０号公報
【発明の開示】
【発明が解決しようとする課題】
【０００７】
本発明は、輝度劣化ムラを防止した自発光型画像表示パネルの画像表示方法を提供する。
【課題を解決するための手段】
【０００８】
本発明の一態様の自発光型画像表示パネルの画像表示方法は、第１のプレーンに設定された画像の上に第２のプレーンに設定された画像を重ね合わせて得られる合成画像を、自発光型画像表示パネルに表示する画像表示方法であって、前記自発光型画像表示パネルに表示される画像が、前記自発光型画像表示パネルの縦横比と異なる縦横比を有する第１の画像と、前記自発光型画像表示パネルの前記第１の画像の非表示領域に表示される第２の画像とを有し、且つ前記第２の画像が黒色である場合に、前記第１のプレーンにおいて、少なくとも前記第１の画像の非表示領域に対応する第２の領域に黒色以外の色の画像を設定する工程と、前記第２のプレーンにおいて、前記第１の画像の表示領域に対応する第１の領域に前記第１の画像を設定し、前記第１の画像の非表示領域に対応する第２の領域を透過モードに設定する工程と、を具備することを特徴としている。
【発明の効果】
【０００９】
本発明によれば、輝度劣化ムラを防止した自発光型画像表示パネルの画像表示方法が得られる。
【発明を実施するための最良の形態】
【００１０】
以下、本発明の実施例について図面を参照しながら説明する。
【実施例】
【００１１】
本発明の実施例に係る自発光型画像表示パネルの画像表示方法について、図１乃至図５を用いて説明する。図１は本実施例の自発光型画像表示パネルの画像表示方法を示す図、図２は自発光型画像表示パネルの画像表示方法を示すブロック図、図３は自発光型画像表示パネルの画像を示す図、図４は自発光型画像表示パネルの画像表示方法を示すフローチャート、図５は本実施例の自発光型画像表示パネルの表示画像を、比較例の自発光型画像表示パネルの表示画像と対比して示す図で、図５（ａ）が本実施例の表示画像を示す図、図５（ｂ）が比較例の表示画像を示す図である。
【００１２】
図１に示すように本実施例の自発光型画像表示パネルの画像表示方法は、第１のプレーン１１に設定された画像の上に第２のプレーン１２に設定された画像を重ね合わせて得られる合成画像を、自発光型画像表示パネル１０に表示する画像表示方法であって、自発光型画像表示パネル１０に表示される画像２０が、自発光型画像表示パネル１０の縦横比（ａ：ｃ）と異なる縦横比（ｂ：ｃ）を有する第１の画像２１と、自発光型画像表示パネル１０の第１の画像２１の非表示領域に表示される第２の画像２２とを有し、且つ第２の画像２２が黒色である場合に、第１のプレーン１１において、第１の画像２１の表示領域に対応する第１の領域２３を透過モードに設定し、第１の画像２１の非表示領域に対応する第２の領域２４に黒色以外の色の画像を設定する工程と、第２のプレーン１２において、第１の画像２１の表示領域に対応する第１の領域２５に第１の画像２１を設定し、第１の画像２１の非表示領域に対応する第２の領域２６を透過モードに設定する工程と、を具備している。
【００１３】
更に、本実施例の自発光型画像表示パネルの画像表示方法は、自発光型画像表示パネル１０に表示される画像２０に、第１の画像２１の表示領域と第１の画像２１の非表示領域に跨って表示されるキャラクタ情報（第３の画像）２７、例えば時刻情報が付加されているときは、第２のプレーン１２において、キャラクタ情報２７の表示領域に対応する第３の領域２８にキャラクタ情報２７を設定する。
【００１４】
また、本実施例の自発光型画像表示パネルの画像表示方法は、第２のプレーン１２の上に第３のプレーン１３が設けられている場合は、第１および第２のプレーン１１、１２に設定された各画像を重ね合わせて得られる合成画像に、第３のプレーン１３に設定された第４の画像２９を重ね合わせて得られる合成画像を自発光型画像表示パネル１０に表示する。
【００１５】
第１のプレーン１１は、例えば背景色を表示するためのプレーンで、ＢＧ（Back Ground）プレーンとも呼ばれている。  
第１のプレーン１１において、第１の領域２３を透過モードに設定するのは、第２のプレーン１２において、第１の領域２５の一部が透過モードまたは半透過モードに設定されることがある場合に、第１のプレーンの第１の領域２３の画像が見えないようにするためである。
【００１６】
第２のプレーン１２は、動画などの実際の映像を表示するためのプレーンで、ビデオプレーンとも呼ばれている。
【００１７】
第３のプレーン１３は、例えば電子番組表(Electric Program Guide)、データ放送情報等を表示するためのプレーンで、ＭＧ(Main Graphics)プレーンとも呼ばれている。  
ここでは、第３のプレーン１３は透過モードに設定されており、第４の画像２９は透明であるとする。
【００１８】
図２に示すように、第１乃至第３のプレーン１１、１２、１３は、それぞれ画像メモリで実現される。  
自発光型画像表示パネル１０に表示される画像は、メインの画像メモリ３０に読み込まれ、グラフィックスエンジン３１と呼ばれる画像処理用ＬＳＩに入力される。  
グラフィックスエンジン３１は、メインの画像メモリ３０に読み込まれた表示画像２０に対して、上述した各種処理を施し、処理結果を一旦バッファとなる画像メモリ３２に格納する。  
画像メモリ３２に格納された処理結果は、振り分けられて第１乃至第３のプレーン１１、１２、１３に設定される。
【００１９】
具体的には、グラフィックスエンジン３１は、上述した各種処理を施すための初期設定として、第１の画像２１の表示領域および第１の画像２１の非表示領域、即ち画像表示領域全体を転送領域に設定し、第１の画像２１の非表示領域をサイドパネル領域に設定し、第１の画像２１の非表示領域の輝度が黒レベルか否かの判定基準となる黒レベル（クロマキー）と、その許容するバラツキレベルを設定する。  
図３に示すように、第１の画像２１の非表示領域であるサイドパネル領域は、第１の画像２１の左右に設定される場合と、第１の画像２１の上下に設定される場合がある。上下に設定される場合はレターボックスとも呼ばれている。
【００２０】
第１のプレーン１１に設定された画像と第２のプレーン１２に設定された画像は、ブレンド３３と呼ばれる画像合成用ＬＳＩにより重ね合わされる。  
更に、第３のプレーン１３に設定された画像が、ブレンド３４により重ね合わされ、得られた合成画像が画像表示回路（図示せず）に出力される。
【００２１】
ここでは、第３のプレーン１３は透過モードに設定されているので、第１のプレーン１１に設定された画像の上に第２のプレーン１２に設定された画像を重ね合わせて得られる合成画像が、そのまま画像表示回路（図示せず）に出力される。
【００２２】
図４は本実施例の自発光型画像表示パネルの画像表示方法を示すフローチャートである。図４に示すように、自発光型画像表示パネル１０に表示される画像をデジタル放送チューナなどから入手し（ステップＳ０１）、入手した表示画像２０を画像メモリ３０に格納する（ステップＳ０２）。
【００２３】
次に、表示画像２０が自発光型画像表示パネル１０の縦横比（ａ：ｃ）と異なる縦横比（ｂ：ｃ）を有する第１の画像２１と、自発光型画像表示パネル１０の第１の画像２１の非表示領域に表示される第２の画像２２とを有し、且つ第２の画像２２が黒色であるか、即ち黒色サイドパネル付き画像であるかを判定する（ステップＳ０３）。
【００２４】
判定は第１の画像２１の非表示領域において、各画素の輝度情報を求め、輝度情報が第１基準値より小さい画素の存在比率を求め、存在比率が第２基準値以上であるか否かにより行う。
【００２５】
具体的には、画像メモリ３０から、画像表示パネルの縦横比（１６：９）と第１の画像の縦横比（４：３）とに応じて、予め定められているサイドパネル領域の各画素の輝度情報を読み出し、輝度情報が黒色であるかを判定するための第１基準値、例えば輝度情報が２５６階調のとき下から１０階調まで、より小さい画素の数をカウントし、カウントした画素数と判定した画素数との比率を求め、求めた比率が黒色サイドパネルであるかを判定するための第２基準値、例えば９５％以上であるか否かにより行う。
【００２６】
表示画像２０にキャラクタ情報２７が付加されている場合、キャラクタ情報２７の画素の輝度情報は第１基準値より大きくなるが、もともと画素数が少ないので、存在比率の判定には影響を及ぼさない。
【００２７】
次に、表示画像２０が黒色サイドパネル付きの画像と判定されると（ステップＳ０３のＹｅｓ）、第１のプレーン１１において、第１の画像２１の表示領域に対応する第１の領域２３を透過モードに設定し、第１の画像２１の非表示領域に対応する第２の領域２４に黒色以外の色の画像を設定する、言い換えると黒色以外の色で塗り潰す処理を行う（ステップＳ０９）。
【００２８】
具体的には、第１のプレーン１１の第１の領域２３の輝度情報および色情報をクリアすることにより、第１の領域２３を透過モードに設定する。  
第１のプレーン１１の第２の領域２４の輝度情報を、例えば２５６階調の下から３０階調に設定し、色情報を灰色に設定する。
【００２９】
次に、第２のプレーン１２において、第１の画像２１の表示領域に対応する第１の領域２５に第１の画像２１を設定し、第１の画像２１の非表示領域に対応する第２の領域２６を透過モードに設定する処理を行う（ステップＳ１０〜Ｓ１５）。
【００３０】
具体的には、画像メモリ３０から表示画像２０の画素の輝度情報および色情報を読み込み（ステップＳ１０）、画像表示パネルの縦横比（１６：９）と第１の画像の縦横比（４：３）とに応じて、予め定められているサイドパネル領域の画素であるか否かを判定する（ステップＳ１１）。
【００３１】
次に、サイドパネル領域の画素ならば（ステップＳ１１のＹｅｓ）、条件１を満たすか否かを判定する（ステップＳ１２）。  
ここで、条件１とは、サイドパネル領域に表示されるキャラクタ情報（第３の画像）２７、例えば時刻情報が付加されていないことを判定する条件である。画素の輝度情報が、バラツキを考慮して設定した黒レベル±α以内のときは、画素が黒色と判定し、それ以外のときにキャラクタ情報（第３の画像）２７が付加されていると判定する。
【００３２】
条件１を満たす場合（ステップＳ１２のＹｅｓ）は、キャラクタ情報（第３の画像）２７が付加されていないので、クロマキー処理を行い（ステップＳ１３）、処理結果を画像メモリ３０に格納する（ステップＳ１４）。  
一方、サイドパネル領域の画素でない場合（ステップＳ１１のＮｏ）、および条件１を満たさない場合（ステップＳ１２のＮｏ）は、そのままステップＳ１４へ行く。
【００３３】
ここで、クロマキー処理とは、画像データから指定した色情報を抜く処理のことで、黒色サイドパネルから黒色を抜いて、輝度情報および色情報をクリアすることである。  
但し、表示画像２０に付加されているキャラクタ情報２７は黒色ではないので、キャラクタ情報２７を有する画素にはクロマキー処理は施されない。
【００３４】
次に、全ての画素を処理したかをチェックし（ステップＳ１５）、未処理の画素がある場合は（ステップＳ１５のＹｅｓ）、ステップ１０へ行き、全ての画素を処理するまでステップ１０からステップＳ１４までを繰り返す。
【００３５】
一方、未処理の画素がない場合は（ステップＳ１１のＮｏ）、第２のプレーン１２において、第１の画像２１の表示領域に対応する第１の領域２５に第１の画像２１を設定し、第１の画像２１の非表示領域に対応する第２の領域２６を透過モードに設定し、第１のプレーンに設定された画像の上に第２のプレーンに設定された画像を重ね合わせ（ステップＳ１６）、得られた合成画像を表示する（ステップＳ１７）。
【００３６】
図５は本実施例の自発光型画像表示パネルの表示画像を、比較例の自発光型画像表示パネルの表示画像と対比して示す図で、図５（ａ）が本実施例の表示画像を示す図、図５（ｂ）が比較例の表示画像を示す図である。
【００３７】
始めに、比較例について説明する。図６は比較例の自発光型画像表示パネルの画像表示方法を示す図である。比較例において、上述した実施例と同一の構成部分には同一符号を付してその説明は省略し、異なる部分についてのみ説明する。  
図６に示すように、比較例の自発光型画像表示パネルの画像表示方法は、第３のプレーン１３において、第１の画像２１の表示領域に対応する第１の領域４１を透過モードに設定し、第１の画像２１の非表示領域に対応する第２の領域４２を黒色以外の色で塗り潰している。  
また、第１のプレーン１１は透過モードに設定されており、第４の画像４３は透明である。
【００３８】
図５（ｂ）に示すように、比較例の表示画像は、第１の画像２１の両側に第２の画像２２が表示されるが、第１の領域２５および第２の領域２６に跨る第３の領域２８に表示されるキャラクタ情報（時刻情報）２７のうち、第２の領域２６に表示されるキャラクタ情報２７が第３のプレーン１３により隠されて、時刻情報が見えなくなる。
【００３９】
一方、図５（ａ）に示すように、本実施例の表示画像は、第１の画像２１の両側に第２の画像２２が表示されるとともに、第３のプレーン１３が透過モードに設定されているので、第１の領域２５および第２の領域２６に跨る第３の領域２８に表示されるキャラクタ情報（時刻情報）２７が第３のプレーン１３により隠されず、時刻情報が明瞭に表示される。
【００４０】
以上説明したように、本実施例の自発光型画像表示パネルの画像表示方法は、第１のプレーン１１において、少なくとも第１の画像２１の非表示領域に対応する第２の領域２４に黒色以外の色の画像を設定する工程と、第２のプレーン１２において、第１の画像２１の表示領域に対応する第１の領域２５に第１の画像２１を設定し、第１の画像２１の非表示領域に対応する第２の領域２６を透過モードに設定する工程と、を具備している。
【００４１】
その結果、自発光型画像表示パネル１０において、サイドパネルを構成する画素を発光させることができるので、輝度劣化ムラを防止した自発光型画像表示パネルの画像表示方法が得られる。  
更に、第１の領域２５および第２の領域２６に跨る第３の領域２８に表示されるキャラクタ情報２７がサイドパネルによって隠されることなく、明瞭に表示することができる。
【００４２】
ここでは、第１の画像２１の両側に黒色のサイドパネルが付加されている場合について説明したが、第１の画像２１の上下に黒色のサイドパネルが付加されている場合についても、同様に実施することができる。
【００４３】
第１のプレーン１１において、第１の領域２３を透過モードに設定する場合について説明したが、第２のプレーン１２において、第１の領域２５の一部が透過モードまたは半透過モードに設定されることがない場合は、第２の領域２４と同様に黒以外の色の画像を設定しても構わない。
【図面の簡単な説明】
【００４４】
【図１】本発明の実施例に係る自発光型画像表示パネルの画像表示方法を示す図。
【図２】本発明の実施例に係る自発光型画像表示パネルの画像表示方法を示すブロック図。
【図３】本発明の実施例に係る自発光型画像表示パネルの画像を示す図。
【図４】本発明の実施例に係る自発光型画像表示パネルの画像表示方法を示すフローチャート。
【図５】本発明の実施例に係る自発光型画像表示パネルの表示画像を、比較例の自発光型画像表示パネルの表示画像と対比して示す図で、図５（ａ）が本実施例の表示画像を示す図、図５（ｂ）が比較例の表示画像を示す図。
【図６】本発明の実施例に係る比較例の自発光型画像表示パネルの画像表示方法を示す図。
【符号の説明】
【００４５】
１０  自発光型画像表示パネル
１１  第１のプレーン
１２  第２のプレーン
１３  第３のプレーン
２０  表示画像
２１  第１の画像
２２  第２の画像
２３、２５、４１  第１の領域
２４、２６、４２  第２の領域
２７  キャラクタ情報
２８  第３の領域
２９、４３  第４の画像
３０、３２  画像メモリ
３１  グラフィクスエンジン
３３、３４  ブレンド
【図１】
2010026253.tif 000003
【図２】
2010026253.tif 000004
【図３】
2010026253.tif 000005
【図４】
2010026253.tif 000006
【図５】
2010026253.tif 000007
【図６】
2010026253.tif 000008